(57)【特許請求の範囲】
【請求項１】
軒天井の屋外側と屋内側とに断面コ字状の取付け具をコ字状の開口部を対向させて取付け、屋内外方向とは直交する方向において下方に凹となる凹部と凸となる凸部とを交互に形成して波型となる軒天井板を形成し、軒天井板の屋内外端部を対向する取付け具に挿入して取付ける軒天井板の取付け構造であって、軒天井板の屋内外方向の中間部において、下方に凹となる凹部の上面部と天井下地とを固定具にて固定して成るものであって、前記凹部の上面部に上に凸となるあり突条を形成し、あり溝を形成した固定具に固定片を延出し、固定片に上下方向に弾性変位する弾性変位部を形成し、前記あり溝を形成した固定具を天井下地に固定し、あり突条をあり溝に係合して成ることを特徴とする軒天井板の取付け構造。
【請求項２】
軒天井の屋外側と屋内側とに断面コ字状の取付け具をコ字状の開口部を対向させて取付け、屋内外方向とは直交する方向において下方に凹となる凹部と凸となる凸部とを交互に形成して波型となる軒天井板を形成し、軒天井板の屋内外端部を対向する取付け具に挿入して取付ける軒天井板の取付け構造であって、下方に凸となって上面に溝を形成している上記凸部の上面溝内に上に凸となるあり突条を形成し、固定具にあり溝を形成するとともに上下方向に弾性変位する弾性変位部を形成し、固定具を天井下地に固定し、あり突条をあり溝に係合して成ることを特徴とする軒天井板の取付け構造。
【請求項３】
軒天井板の下に凹となる凹部と取付け具との間に凹部を上方に弾性付勢する弾性支持具を介装して成ることを特徴とする請求項１又は請求項２に記載の軒天井板の取付け構造。
【発明の詳細な説明】
【０００１】
【発明の属する技術分野】
本発明は、軒天井板の取付け構造に関し、詳しくは、軒天井板の屋内外方向の端部を断面コ字状の取付け具にて容易に保持して取付けながら、中間部が垂れ下がるのを防止しようとする技術に係るものである。
【０００２】
【従来の技術】
従来、屋内外方向とは直交する方向において下方に凹となる凹部と凸となる凸部とを交互に形成して波型となる軒天井板を取付けるのに当たって、軒天井の屋外側と屋内側とに断面コ字状の取付け具をコ字状の開口部を対向させて取付け、軒天井板の屋内外端部を対
向する取付け具に挿入して取付けるものである。
【０００３】
【発明が解決しようとする課題】
ところで、このような取付け構造においては、波型となる軒天井板の屋内外方向の端部を断面コ字状の取付け具にて容易に保持することができるが、軒天井板の屋内外方向の中間部が自重で垂れ下がり、断面コ字状の取付け具による保持が外れる虞がある等という問題があった。
【０００４】
本発明はこのような問題に鑑みてなされたものであり、軒天井板の屋内外方向の端部を断面コ字状の取付け具にて容易に保持して取付けながら、中間部が垂れ下がるのを防止して軒天井板の取付けを長期にわたって安定化させることができる軒天井板の取付け構造を提供することを課題とするものである。
【０００５】
【課題を解決するための手段】
請求項１においては、軒天井の屋外側と屋内側とに断面コ字状の取付け具１、２をコ字状の開口部を対向させて取付け、屋内外方向とは直交する方向において下方に凹となる凹部３と凸となる凸部４とを交互に形成して波型となる軒天井板５を形成し、軒天井板５の屋内外端部を対向する取付け具１、２に挿入して取付ける軒天井板の取付け構造であって、軒天井板５の屋内外方向の中間部において、下方に凹となる凹部３の上面部３ａと天井下地６とを固定具７にて固定して成るものであって、前記凹部３の上面部３ａに上に凸となるあり突条９を形成し、あり溝１０を形成した固定具７に固定片１１を延出し、固定片１１に上下方向に弾性変位する弾性変位部１２を形成し、前記あり溝１０を形成した固定具７を天井下地６に固定し、記あり突条９をあり溝１０に係合していることを特徴とするものである。このような構成によれば、波型の軒天井板５の屋内外端部を断面コ字状の取付け具１、２に保持することで容易に取付けることができながら、軒天井板５の屋内外方向の中間部において、下方に凹となる凹部３の上面部３ａを天井下地６に固定することで、軒天井板５の屋内外方向の中間部が垂れ下がるのを防止することができる。また天井下地６に固定した固定具７のあり溝１０に軒天井板５側のあり突条９を嵌合させることで、軒天井板５の取付けを容易におこなうことができる。また弾性変位部１２における弾性変位によって、天井下地６側のレベル変位を吸収することができる。
【０００６】
請求項２においては、軒天井の屋外側と屋内側とに断面コ字状の取付け具１、２をコ字状の開口部を対向させて取付け、屋内外方向とは直交する方向において下方に凹となる凹部３と凸となる凸部４とを交互に形成して波型となる軒天井板５を形成し、軒天井板５の屋内外端部を対向する取付け具１、２に挿入して取付ける軒天井板の取付け構造であって、下方に凸となって上面に溝を形成している上記凸部４の上面溝４ａ内に上に凸となるあり突条９を形成し、固定具７にあり溝１０を形成するとともに上下方向に弾性変位する弾性変位部１２を形成し、固定具７を天井下地６に固定し、あり突条９をあり溝１０に係合していることを特徴とするものである。このような構成によれば、軒天井板５の屋内外方向の中間部が垂れ下がるのを防止することができ、波型の軒天井板５の屋内外端部を断面コ字状の取付け具１、２に保持することで容易に取付けることができながら、凸部４の上面溝４ａ内のあり突条９を固定具７のあり溝１０に係合することで軒天井板５の取付けを容易におこなうことができ、かつ、弾性変位部１２における弾性変位によって、天井下地６側のレベル変位を吸収することができる。
【０００７】
請求項３においては、軒天井板５の下に凹となる凹部３と取付け具１、２との間に凹部３を上方に弾性付勢する弾性支持具１３を介装していることを特徴とするものである。このような構成によれば、軒天井板５の凹部３と取付け具１との間に挿入された弾性支持具１３の弾性変位によって軒天井板５の保持強度を高めることができる。
【０００８】
【発明の実施の形態】
以下、本発明の実施の形態を説明する。図１は破断した概略断面図である。
【０００９】
軒天井板５は例えばＡＢＳ樹脂のような樹脂成形品であり、屋内外方向とは直交する方向において下方に凹となる凹部３と凸となる凸部４とを交互に形成して角形の波型となり、一端部に接続凸所１４を、他端部に接続凹所１５を形成して屋内外方向とは直交する方向において接続することができるようにしている。
【００１０】
軒天井の天井下地６に屋外側と屋内側とに断面コ字状の取付け具１、２をコ字状の開口部を対向させて取付けている。軒天井板５の屋内外端部を対向する取付け具１、２に挿入して取付けるのである。このように軒天井板５の屋内外部が取付け具１、２に挿入されて取付けられた場合に、本発明においては、屋内外方向の中間部が垂れ下がらないようにしている。以下、詳述する。
【００１１】
図２〜４の実施の形態においては、軒天井板５の下方に凹となる凹部３の上面部３ａに上に凸となるあり突条９を形成している。又、固定具７にはあり溝１０を形成している。またあり溝１０を形成した固定具７に固定片１１を延出し、固定片１１に上下方向に弾性変位する弾性変位部１２を形成している。
【００１２】
しかして軒天井板５のあり突条９をあり溝１０に係合するのであり、このように、下方に凹となる凹部３の上面部３ａを天井下地６に固定することで、軒天井板５の屋内外方向の中間部が垂れ下がるのを防止でき、また軒天井板５の取付けを容易におこなうことができるものである。また固定具７の弾性変位部１２における弾性変位によって、天井下地６側のレベル変位等を吸収することができる。
【００１３】
図５及び図６は他の実施の形態を示し、但し、本実施の形態の基本構成は上記実施の形態と共通であり、共通する部分には同一の符号を付して説明は省略する。
【００１４】
本実施の形態においては、下方に凸となって上面に溝を形成している上記凸部４の上面溝４ａ内に上に凸となるあり突条９を形成し、あり溝１０を形成した固定具７に固定片１１を延出し、固定片１１に上下方向に弾性変位する弾性変位部１２を形成したものである。
【００１５】
本実施の形態においては、軒天井板５の屋内外方向の中間部が垂れ下がるのを防止することができ、波型の軒天井板５の屋内外端部を断面コ字状の取付け具１、２に保持することで容易に取付けることができながら、凸部４の上面溝４ａ内のあり突条９を固定具７のあり溝１０に係合することで軒天井板５の取付けを容易におこなうことができ、かつ、弾性変位部１２における弾性変位によって、天井下地６側のレベル変位を吸収することができるものである。
【００１６】
図８は更に他の実施の形態を示し、但し、本実施の形態の基本構成は上記実施の形態と共通であり、共通する部分には同一の符号を付して説明は省略する。
【００１７】
本実施の形態においては、軒天井板５の下に凹となる凹部３と取付け具１との間に凹部３を上方に弾性付勢する弾性支持具１３を介装したものである。弾性支持具１３は例えば略コ型をしたばね片であるが、他の形態のものであってもよいものである。
【００１８】
本実施の形態においては、軒天井板５の凹部３と取付け具１との間に挿入された弾性支持具１３の弾性変位によって凹部３の上面部３ａを取付け具１の上面片１ａに強く弾接させることから、軒天井板５の保持強度を高めるものである。
【００１９】
尚、本発明における天井下地６は既存の軒天井材であっても、或いは、新築時の下地であってもよいものである。
【００２０】
【発明の効果】
請求項１においては、軒天井の屋外側と屋内側とに断面コ字状の取付け具をコ字状の開口部を対向させて取付け、屋内外方向とは直交する方向において下方に凹となる凹部と凸となる凸部とを交互に形成して波型となる軒天井板を形成し、軒天井板の屋内外端部を対向する取付け具に挿入して取付ける軒天井板の取付け構造であって、軒天井板の屋内外方向の中間部において、下方に凹となる凹部の上面部と天井下地とを固定具にて固定しているから、波型の軒天井板の屋内外端部を断面コ字状の取付け具に保持することで容易に取付けることができながら、軒天井板の屋内外方向の中間部において、下方に凹となる凹部の上面部を天井下地に固定することで、軒天井板の屋内外方向の中間部が垂れ下がるのを防止することができるという利点がある。また上面部に上に凸となるあり突条を形成し、あり溝を形成した固定具を天井下地に固定し、あり突条をあり溝に係合しているから、天井下地に固定した固定具のあり溝に軒天井板側のあり突条を嵌合させることで、軒天井板の取付けを容易におこなうことができるという利点がある。またあり溝を形成した固定具に固定片を延出し、固定片に上下方向に弾性変位する弾性変位部を形成してあるから、弾
性変位部における弾性変位によって、天井下地側のレベル変位を吸収することができるという利点がある。
【００２１】
請求項２においては、軒天井の屋外側と屋内側とに断面コ字状の取付け具をコ字状の開口部を対向させて取付け、屋内外方向とは直交する方向において下方に凹となる凹部と凸となる凸部とを交互に形成して波型となる軒天井板を形成し、軒天井板の屋内外端部を対向する取付け具に挿入して取付ける軒天井板の取付け構造であって、下方に凸となって上面に溝を形成している上記凸部の上面溝内に上に凸となるあり突条を形成し、固定具にあり溝を形成するとともに上下方向に弾性変位する弾性変位部を形成し、固定具を天井下地に固定し、あり突条をあり溝に係合しているから、軒天井板の屋内外方向の中間部が垂れ下がるのを防止することができ、波型の軒天井板の屋内外端部を断面コ字状の取付け具に保持することで容易に取付けることができながら、凸部の上面溝内のあり突条を固定具のあり溝に係合することで軒天井板の取付けを容易におこなうことができ、かつ、弾性変位部における弾性変位によって、天井下地側のレベル変位を吸収することができるという利点がある。
【００２２】
請求項３においては、軒天井板の下に凹となる凹部と取付け具との間に凹部を上方に弾性付勢する弾性支持具を介装しているから、請求項１又は請求項２に記載の効果に加えて、軒天井板の凹部と取付け具との間に挿入された弾性支持具の弾性変位によって軒天井板の保持強度を高めることができるという利点がある。
【図面の簡単な説明】
【図１】  本発明の実施の一形態を示し、破断した概略断面図である。
【図２】  （ａ）は同上の軒天井板の断面図、（ｂ）は一部破断した平面図である。
【図３】  （ａ）は軒天井板の拡大断面図、（ｂ）は分解斜視図である。
【図４】  同上の取付け後の概略断面図である。
【図５】  同上の他の実施の形態を示し、（ａ）は軒天井板の拡大断面図、（ｂ）は分解斜視図である。
【図６】  （ａ）は同上の軒天井板の断面図、（ｂ）は一部破断した平面図である。
【図７】  同上の取付け状態の概略断面図である。
【図８】  同上の更に他の実施の形態を示し、（ａ）は分解斜視図、（ｂ）は概略断面図である。
【符号の説明】
１  取付け具
２  取付け具
３  凹部
３ａ  上面部
４  凸部
５  軒天井板
６  天井下地
７  固定具
【図１】
0003711829.tif 000002
【図２】
0003711829.tif 000003
【図３】
0003711829.tif 000004
【図４】
0003711829.tif 000005
【図５】
0003711829.tif 000006
【図６】
0003711829.tif 000007
【図７】
0003711829.tif 000008
【図８】
0003711829.tif 000009